(57)【要約】【課題】容器をフィルムで包装してなる包装体において、その包装体の美観を維持することを目的とする。【解決手段】本発明の包装体１０は、上部に開口を有した容器が、外装フィルム１１でピロー包装されている包装体であって、容器１３が、ピロー包装時に外装フィルム１１が供給される流れ方向の前後の側面に、対向する切り欠き部１４ａ、切り欠き部１４ｂを有しており、外装フィルム１１の内側に、前記対向する切り欠き部１４ａ、切り欠き部１４ｂの距離より長いインナーフィルム１２が、切り欠き部１４ａ、切り欠き部１４ｂを通るように架け渡されていることを特徴とする。【選択図】図１
2010030653.tif 000002
【特許請求の範囲】
【請求項１】
上部に開口を有した容器が、外装フィルムでピロー包装されている包装体であって、
容器が、ピロー包装時に外装フィルムが供給される流れ方向の前後の側面に、対向する切り欠き部を有しており、
外装フィルムの内側に、前記対向する切り欠き部の距離より長いインナーフィルムが、切り欠き部を通るように架け渡されている包装体。
【発明の詳細な説明】
【技術分野】
【０００１】
本発明は、包装体に関する。
【背景技術】
【０００２】
従来、トレイ等の容器に商品を収納し、容器ごと商品を包装する方法として、容器の上面にフィルムを被せ、その後フィルムの両端を容器の下側で合わせて筒状にし、更に筒状フィルムの両端を容器サイズに合わせて切断する、ピロー包装が用いられている。
このように、容器内に商品を収納し、ピロー包装された包装体は、特許文献１の第４図で示されるように、商品が包装体内で動き難くなるため、商品の外観を維持しやすくなる。
【特許文献１】実開昭６１−８０２０５号公報
【発明の開示】
【発明が解決しようとする課題】
【０００３】
しかしながら、容器に商品を収納したからといって、商品が全く動かないわけではなく、その商品内容や量によっては、運搬などでフィルムや容器が動く際に商品が動き、包装体の美観を損ねるという問題がある。
例えば、特許文献１の第４図で示される様に容器の上面を覆うフィルムと商品とが密接しており、容器内に収納される商品が、ご飯やおかずによるお弁当、生野菜サラダ、ポテトサラダ等である場合、商品が動くと、商品と密接しているフィルム内面に、商品がずれることによってできる付着痕が残ってしまう。また、容器の上面を覆うフィルムと商品との間にある程度隙間を設けたとしても、商品が動いた場合にフィルム内面に商品が接触することは避けられず、フィルムに商品の付着痕のみが残り、却って包装体の美観を損ねてしまう。
【０００４】
本発明は、上記事情を鑑みてなされたもので、容器をフィルムで包装してなる包装体において、その包装体の美観を維持することを目的とする。
【課題を解決するための手段】
【０００５】
本発明の包装体は、上部に開口を有した容器が、外装フィルムでピロー包装されている包装体であって、容器が、ピロー包装時に外装フィルムが供給される流れ方向の前後の側面に、対向する切り欠き部を有しており、外装フィルムの内側に、前記対向する切り欠き部の距離より長いインナーフィルムが、切り欠き部を通るように架け渡されていることを特徴とする。
【発明の効果】
【０００６】
本発明の包装体によれば、容器内に収納された内容物の付着痕がフィルムに残り難く、包装体の美観を維持できる。
【発明を実施するための最良の形態】
【０００７】
以下、図を参照しつつ、本発明の実施形態を説明する。なお、この実施形態は本発明の要旨を説明するためのものであり、本発明は、これに限定されるものではない。
また、図１〜４において、同じ構成要素には同一の符号を付して、その説明を省略する場合がある。
【０００８】
図１は本発明にかかる包装体の一実施形態の斜視図である。図１に示すように、本発明の包装体１０は、切り欠き部１４ａ及び切り欠き部１４ｂにインナーフィルム１２が架け渡されている容器１３が外装フィルム１１にてピロー包装されているものである。
ここで、ピロー包装とは、以下に述べる包装形態をいう。
帯状の外装フィルムを、その帯状の外装フィルムが導かれる方向（以下「流れ方向」という。）に沿った２本の長辺を合せて熱シールして筒状とする。次いで、この筒状の外装フィルムの開口部より、被包装物を供給し、筒状の外装フィルムの両端の開口部を閉じることによりなされる。
【０００９】
本発明の包装体１０で用いる容器１３を別途、図３で示す。
容器１３としては、上部に開口１７を有しているものであればその形状に特に制限はない。
例えば、その底面１８としては、円形、楕円形、正方形、長方形、六角形、多角形等様々な形が考えられる。更に、開口１７の形状は、底面１８と同じ形であっても違う形であっても良い。
また、容器１３の高さは内部に収容する内容物によって適切な高さを選択すればよく、特に限定されない。
【００１０】
容器１３の材質としては、例えば、ポリエチレン、ポリプロピレン、ポリエステル、ポリスチレン等の樹脂や、紙等を挙げることができる。
【００１１】
図３で示されるように、容器１３は、ピロー包装時に外装フィルム１１が導かれる、流れ方向の前後の側面に、対向する切り欠き部１４ａと切り欠き部１４ｂを備えている。
この切り欠き部１４ａ、切り欠き部１４ｂは、図１で示されるように、インナーフィルム１２を架け渡すことを目的として設けられるものである。
図３で示す、流れ方向に対して略垂直な方向（以下、「幅方向」という）の切り欠き部１４ａ、切り欠き部１４ｂの長さＷは、容器１３の幅方向の長さ以下で、インナーフィルムを架け渡すことが可能である幅を有するものであれば特に制限はない。しかし、切り欠き部１４ａ、切り欠き部１４ｂの幅方向の長さＷがインナーフィルムの幅方向の長さより長い場合、インナーフィルムの幅方向への動きが制限され難く好ましい。
【００１２】
本発明の包装体においては、切り欠き部１４ａと切り欠き部１４ｂの深さＤが長いと、図２の本発明の包装体の断面図で示されるように、インナーフィルム１２と内容物１５とが接触しやすくなる傾向にある。しかしながら、深さＤが長すぎると、容器１３の内部に内容物１５を収納することができず、内容物１５が容器１３から溢れてしまう。従って、内容物１５の収納量と、内容物１５とインナーフィルム１２との接触の程度を考慮して、切り欠き部１４ａと切り欠き部１４ｂの深さＤを決定すると好ましい。
なお、容器１３に設置される対向する切り欠き部はその個数に特に制限はなく、内容物の配置やインナーフィルムの本数に応じて切り欠き部を設置することができる。
【００１３】
外装フィルム１１としては、ポリエステルフィルム、ポリプロピレンフィルム、ナイロンフィルムなどが挙げられる。前記ポリエステルフィルムを形成する樹脂としては、ＰＥＴなどが挙げられる。前記ポリプロピレンフィルムを形成する樹脂としては、二軸延伸ポリプロピレン（ＯＰＰ）などが挙げられる。さらに必要に応じて、外装フィルム１１にガスバリア性を有したフィルムを用いて、包装体１０にガスバリア性を付与してもよい。ガスバリア性を有したフィルムとしては、ポリビニルアルコール系樹脂（ＰＶＡ）からなるフィルム、エチレン・ビニルアルコール共重合体（ＥＶＯＨ）からなるフィルム、ポリビニリデンクロライド（ＰＶＤＣ）からなるフィルム、これらのフィルムを有した複層構造フィルムなどが挙げられる。また、アルミニウム、シリカなどを未延伸ポリプロピレンフィルムなどに蒸着させた蒸着フィルム、アルミニウム箔ラミネートフィルムなども用いることができる。また、外装フィルム１１としては、前述の樹脂を複数種複層した複層構造のフィルムであっても構わない。
【００１４】
１つの容器に用いる外装フィルム１１の流れ方向の長さと、幅方向の長さとは、外装フィルム１１で包装する容器１３が、包装体内で動き難い程度にタイトにピロー包装できる長さであればよく、特に制限されないが、容器１３の開口の部分を覆う外装フィルム１１に、その上に物を重ねても撓まない程度の張りを持たせることが可能な程度の長さであると特に好ましい。
また、外装フィルム１１の厚みは特に限定されないが、１５〜４０μｍが好ましい。
【００１５】
インナーフィルム１２は上述のピロー包装において、外装フィルムの内側に重ねることによって供給されることが好ましい。
インナーフィルム１２は、容器の切り欠き部１４ａ及び切り欠き部１４ｂを通るようにして架け渡されることで、容器内に収納された内容物１５と接触し、本発明の包装体の美観を維持することを目的としている。
【００１６】
インナーフィルム１２としては、ポリプロピレンフィルム等の透明フィルム等が挙げられる。
なお、インナーフィルム１２の厚みは特に限定されないが、１５〜４０μｍが好ましい。
【００１７】
インナーフィルム１２の、幅方向の長さは、切り欠き部１４ａ及び切り欠き部１４ｂの幅方向の長さＷ以下で、包装体の美観を維持するという、本発明の目的が達成される長さであれば特に制限はない。
なお、インナーフィルム１２の幅方向の長さが、切り欠き部１４ａや切り欠き部１４ｂの幅方向の長さＷを越える場合、インナーフィルムを容器の切り欠き部１４ａ及び切り欠き部１４ｂを通るようにして架け渡すことができず、包装体の美観を維持できない。
【００１８】
１つの容器に用いるインナーフィルム１２の流れ方向の長さは、インナーフィルム１２を通す、対向する切り欠き部１４ａと切り欠き部１４ｂとの距離より長い。
図１に示すように、インナーフィルム１２の流れ方向の長さを、対向する切り欠き部１４ａと切り欠き部１４ｂとの直線距離より長くすることにより、インナーフィルム１２が切り欠き部１４ａと切り欠き部１４ｂとの間で、弛んでいる状態となる。
本発明では、このようにインナーフィルム１２を弛ませることで、包装体１０の美観を維持することができる。
【００１９】
更に、１つの容器に用いるインナーフィルム１２の流れ方向の長さは、１つの容器に用いる外装フィルム１１の流れ方向の長さと同じであることが製造上の観点から好ましく、本発明ではこのために、容器１３が切り欠き部１４ａと切り欠き部１４ｂを備えている。
切り欠き部のない容器を用いた場合、インナーフィルムと外装フィルムの流れ方向の長さを同等にすると、インナーフィルムは外装フィルムと同様に容器の外側を覆うのみである。しかし、本発明の包装体１０に係る容器１３は、インナーフィルム１２を架け渡すための切り欠き部１４ａ及び切り欠き部１４ｂを備えている。従って、インナーフィルム１２の流れ方向の長さと外装フィルム１１の流れ方向の長さとを同等にした場合に、切り欠き部１４ａと切り欠き部１４ｂの深さＤを合計した長さと略同等の長さ分だけ、インナーフィルムの長さに余裕ができ、インナーフィルム１２を弛んだ状態にできる。
このような本発明の包装体は、インナーフィルム１１と外装フィルム１２を同時に供給して製造することが可能であり、製造上好ましい。
【００２０】
以上説明したように、本発明の包装体１０は外装フィルム１１の内部に、対向する切り欠き部１４ａ及び切り欠き部１４ｂを備えた容器１３と、切り欠き部を通るインナーフィルム１２を有している。
そして、上述したようにインナーフィルム１２の長さを、切り欠き部１４ａと切り欠き部１４ｂとの距離より長いものとし、インナーフィルム１２を弛ませることで、図２に示すように、容器１３に内容物１５を収納した際、インナーフィルム１２が覆っている内容物１５とインナーフィルム１２とを接触させることが可能となる。
このとき、インナーフィルム１２には、インナーフィルム１２と内容物１５との接触端ａから容器切り欠き下端部１３ａまでの距離（Ａ）分だけ、内容物１５とインナーフィルム１２とが無接触の部分が生じる。そして、この無接触部分ではインナーフィルム１２の長さにゆとりがある。また、インナーフィルム１２には、インナーフィルム１２と内容物１５との接触端ｂから容器切り欠き下端部１３ｂまでの距離（Ｂ）分だけ、内容物１５とインナーフィルム１２とが無接触の部分が生じる。そして、この無接触部分ではインナーフィルム１２の長さにゆとりがある。
従って、例えば、内容物１５が容器切り欠き下端部１３ａの方に寄るとき、これらのゆとりにより、距離（Ａ）を小さくし、且つ距離（Ｂ）を大きくすることができる。つまり、インナーフィルム１２と内容物１５の接触面を、内容物１５の動きに合わせて容器切り欠き下端部１３ａの方に動かすことができる。また、内容物１５が容器切り欠き下端部１３ｂの方に寄るときは、これらのゆとりにより、距離（Ａ）を大きくし、且つ距離（Ｂ）を小さくすることができる。つまり、インナーフィルム１２と内容物１５の接触面を、内容物１５の動きに合わせて容器切り欠き下端部１３ｂの方に動かすことができる。
このような本発明の包装体１０では、インナーフィルム１２と内容物１５の接触面は、内容物１５の動きに関わらず固定された状態となり、この接触面以外に内容物が付着し難くなる。従って、内容物がフィルムの接触面からずれることで発生する、内容物の付着痕が発生し難い。
また、インナーフィルム１２によって内容物１５が覆われているため、内容物を動かしたとしても、内容物が外装フィルムに付着し難い。
つまり、本発明の包装体１０は、外装フィルム１１を掴む・動かすなどをして内容物１５を動かしたとしても、包装体１０の美観を維持することができる。
更に、本発明では外装フィルム１１とインナーフィルム１２とを同等の長さにして包装体を製造できるため、外装フィルム１１による包装をよりタイトな状態にすることが可能であり、容器１３の開口を覆う外装フィルム１１に、その上に物を重ねても撓まない程度の張りを持たせることが可能である。
【００２１】
次に、本発明の一実施形態の包装体１０を製造する方法の一例を説明する。
図４には、本発明の包装体の成形装置の一例である模式図を示す。
図４に示すように、外装フィルム用ロール４１とインナーフィルム用ロール４２より、帯状の外装フィルム１１と帯状のインナーフィルム１２をそれぞれローラー４３ａに導く。次に導かれた外装フィルム１１とインナーフィルム１２とをローラー４３ａにて重ね合わせて、ローラー４３ｂ、ローラー４３ｃを経て、製袋器４４に導く。その後、流れ方向に沿った帯状の外装フィルム１１の２本の長辺を合せて熱シール具４５で熱シールして熱シール部１６ｃを形成して筒状とする。
また、被包装物である容器１３を、筒状の外装フィルム１１の両端の開口部のうち流れ方向の後方側の開口部より供給する。このとき容器１３は、後に図１で示されるように、容器１３の切り欠き部１４ａ及び切り欠き部１４ｂにインナーフィルム１２を架け渡すことができる位置に供給する。
このようにして、容器１３を筒状の外装フィルム１１で覆った後、容器１３の流れ方向の前後を熱シール具４６で熱シールして、熱シール部１６ａと１６ｂとを形成し、本発明の包装体１０を得る。
この製造方法においては、外装フィルム１１とインナーフィルム１２とを同時に導いているためその流れ方向の長さは同じ長さとなる。しかしながら、図１に示されるように、容器には切り欠き部１４ａ及び切り欠き部１４ｂが備えられており、インナーフィルム１２が切り欠き部１４ａ及び切り欠き部１４ｂに架け渡されることで弛んでいる状態となる。このような包装体に、商品を収納すると、インナーフィルム１１と商品が接触し、この接触面が上述したように動き難い状態になっているため、包装体１０の美観を維持することが可能となる。
【図面の簡単な説明】
【００２２】
【図１】本発明の一実施形態例の包装体に内容物を収納した状態を示す斜視図である。
【図２】図１の実施形態例の包装体をγ‐γ‘の方向に切断した断面図である。
【図３】図１の実施形態例の包装体内部の容器の斜視図である。
【図４】本発明の包装体の成形装置の一例を示す模式図である。
【符号の説明】
【００２３】
１０：包装体
１１：外装フィルム
１２：インナーフィルム
１３：容器
１４ａ、１４ｂ：切り欠き部
【図１】
2010030653.tif 000003
【図２】
2010030653.tif 000004
【図３】
2010030653.tif 000005
【図４】
2010030653.tif 000006